(57)【要約】      （修正有）【課題】調整可能な挟み器と、ケーブルを収容可能なケーブル挟み器により、組付作業が便利となり、ケーブルを整然と配線できる太陽電池パネル用固定装置を提供する。【解決手段】太陽電池パネル３を受けるためのフレーム２を含み、フレームの下方に支持具２１を複数設け、フレームと太陽電池パネルとを傾斜させた状態で設置可能な太陽電池パネル用固定装置において、更に、複数の挟み器４と、複数のケーブル挟み器とを含む。挟み器は、上挟み体と下挟み体を含み、下挟み体は当接部を有し、上挟み体は押さえ部を有し、挟み器はロック具を介して第１穿孔と第２穿孔とを挿通し、フレームに固定される。ケーブル挟み器は一体成形されたもので、本体と、少なくとも一つの挟みアームと、を含み、ケーブル挟み器は、挟み部と締め部とを介してフレームの適当な箇所に固定する。【選択図】図１Ａ
0003183893.tif 000002
【実用新案登録請求の範囲】
【請求項１】
太陽電池パネル（３）を受けるためのフレーム（２）を含み、前記フレーム（２）の下方には、更に、支持具（２１）が複数設けられており、これらの前記支持具（２１）により、前記フレーム（２）と前記太陽電池パネル（３）とを傾斜させた状態で設置可能な太陽電池パネル用固定装置（１）において、
更に、複数の挟み器（４）を含み、前記挟み器（４）は、上挟み体（４１）と、下挟み体（４２）と、を含み、前記下挟み体（４２）は当接部（４２１）を有し、前記当接部（４２１）に第１穿孔（４２２）が設けられており、前記当接部（４２１）の一側には、二つの立設面（４２３）が立設されており、これらの前記立設面（４２３）の間に溝（４２４）が形成されており、前記上挟み体（４１）は押さえ部（４１１）を有し、前記押さえ部（４１１）には、前記第１穿孔（４２２）に対応する第２穿孔（４１２）が設けられており、前記押さえ部（４１１）の一側に係合部（４１３）が下方へ垂直に延び、前記係合部（４１３）が前記溝（４２４）に挿入し、前記挟み器（４）は、ロック具（４３）を介して前記第１穿孔（４２２）と前記第２穿孔（４１２）とを挿通し、これにより、前記フレーム（２）の適当な箇所に前記挟み器（４）を固定でき、そして前記押さえ部（４１１）により前記太陽電池パネル（３）を押さえて固定することを特徴とする太陽電池パネル用固定装置。
【請求項２】
太陽電池パネル（３）を受けるためのフレーム（２）を含み、前記フレーム（２）の下方には、更に、支持具（２１）が複数設けられており、これらの前記支持具（２１）により、前記フレーム（２）と前記太陽電池パネル（３）とを傾斜させた状態で設置可能な太陽電池パネル用固定装置（１）において、
更に、ケーブル挟み器（５）を含み、前記ケーブル挟み器（５）は、一体成形されたものであり、本体（５１）と、少なくとも一つの挟みアーム（５２）と、を含み、前記本体（５１）は、一端に挟み部（５１１）が設けられており、他端に前記挟み部（５１１）に対応する締め部（５１２）が設けられており、前記締め部（５１２）の前記挟み部（５１１）に向いている箇所に円弧形構造（５１３）が形成されており、前記挟みアーム（５２）は、前記本体（５１）に設けられており、その内側に、ケーブルを固定するための規制用円弧縁（５２１）が少なくとも一つ設けられており、前記ケーブル挟み器（５）は、前記挟み部（５１１）と前記締め部（５１２）とを介して前記フレーム（２）の適当な箇所に固定されていることを特徴とする太陽電池パネル用固定装置。
【請求項３】
前記フレーム（２）のより低い箇所に位置する底フレーム（２２）には、更に、押付部（２２１）が設けられていることを特徴とする、請求項１又は請求項２に記載の太陽電池パネル用固定装置。
【請求項４】
隣接する前記支持具（２１）同士の間に補強梁（２３）が設けられていることを特徴とする、請求項１乃至請求項３のうち、いずれか１に記載の太陽電池パネル用固定装置。
【考案の詳細な説明】
【技術分野】
【０００１】
本考案は、固定装置に関し、特に、太陽電池パネルを架設するための固定装置に関するものである。
【背景技術】
【０００２】
近年、各国は環境を汚染しない代替エネルギーを研究開発している。現在、太陽エネルギーは最も広汎に利用されている代替エネルギーである。太陽電池パネルは、太陽電池パネルに設けられた太陽電池により、太陽光を吸収して電気エネルギーに変換するためのものである。
【０００３】
一般的な太陽電池パネルの架設方式は、一つのフレームに太陽電池パネルを設置して、複数のファスナーによりこれらを固定する。しかし、太陽電池パネルの寸法の規格が統一されていないため、現在のファスナーが各種の太陽電池パネルの厚さに対応できない。このため、組付ける際にファスナーの押さえ部を屈折して調整しないと、太陽電池パネルを固定できない。しかし、屈折されたファスナーは、強度が大幅に減少するため、変形又は断裂が発生しやすい。このように、太陽電池パネルが緩まって脱落するというおそれがある。また、太陽電池パネルと電気的に接続するケーブルは、フレームの一側に勝手に固定されるため、修理作業が困難となる。
【考案の概要】
【考案が解決しようとする課題】
【０００４】
本考案の主な目的は、調整可能な挟み器と、ケーブルを収容可能なケーブル挟み器とにより、組付作業が便利となり、ケーブルを整然と配線することが可能な太陽電池パネル用固定装置を提供することにある。
【課題を解決するための手段】
【０００５】
本考案の太陽電池パネル用固定装置によると、太陽電池パネル３を受けるためのフレーム２を含み、フレーム２の下方には、更に支持具２１が複数設けられ、これらの支持具２１により、フレーム２と太陽電池パネル３とを傾斜させた状態で設置可能な太陽電池パネル用固定装置１において、更に、複数の挟み器４と、を含み、挟み器４は、上挟み体４１と、下挟み体４２と、を含み、下挟み体４２は当接部４２１を有し、当接部４２１に第１穿孔４２２が設けられており、当接部４２１の一側には、二つの立設面４２３が立設されており、これらの立設面４２３の間に溝４２４が形成されており、上挟み体４１は押さえ部４１１を有し、押さえ部４１１には、第１穿孔４２２に対応する第２穿孔４１２が設けられており、押さえ部４１１の一側に係合部４１３が下方へ垂直に延び、係合部４１３が溝４２４に挿入し、挟み器４は、ロック具４３を介して第１穿孔４２２と第２穿孔４１２とを挿通し、これにより、フレーム２の適当な箇所に挟み器４を固定可能であり、そして押さえ部４１１により太陽電池パネル３を押さえて固定することを特徴とする。
【０００６】
本考案の太陽電池パネル用固定装置によると、複数のケーブル挟み器５と、を含み、ケーブル挟み器５は、一体成形されたものであり、本体５１と、少なくとも一つの挟みアーム５２と、を含み、本体５１は、一端に挟み部５１１が設けられており、他端に挟み部５１１に対応する締め部５１２が設けられており、締め部５１２の挟み部５１１に向いている箇所に円弧形構造５１３が形成されており、挟みアーム５２は、本体５１に設けられており、その内側に、ケーブルを固定するための規制用円弧縁５２１が少なくとも一つ設けられており、ケーブル挟み器５は、挟み部５１１と締め部５１２とを介してフレーム２の適当な箇所に固定されていることを特徴とする。
【０００７】
本考案の太陽電池パネル用固定装置によると、フレーム２のより低い箇所に位置する底フレーム２２には、更に、押付部２２１が設けられていることを特徴とする。
【０００８】
本考案の太陽電池パネル用固定装置によると、隣接する支持具２１同士の間に補強梁２３が設けられていることを特徴とする。
【考案の効果】
【０００９】
本考案の太陽電池パネル用固定装置によれば、次のような効果がある。
（１）本考案の挟み器は、係合部を介して溝と嵌合することにより、伸縮可能である。このように、各種の厚さを有する太陽電池パネルを挟むことが可能であり、フレームの任意な箇所に固定可能であるため、組付作業が便利となる。
【００１０】
（２）本考案のケーブル挟み器は、別の工具や道具を利用せず、挟み方式によりフレームの任意な箇所に固定可能であり、挟みアームを介してケーブルを挟み可能であるため、ケーブルを整然と配線するができ、ケーブルの脱着も便利となる。
【図面の簡単な説明】
【００１１】
【図１Ａ】本考案の一実施例を示す斜視図である。
【図１Ｂ】図１Ａの一部を示す拡大図である。
【図２Ａ】本考案の一実施例の後方斜視図である。
【図２Ｂ】図２Ａの一部を示す拡大図である。
【図３】本考案の挟み器を示す分解斜視図である。
【図４】本考案のケーブル挟み器を示す斜視図である。
【図５】本考案のケーブル挟み器がフレームに固定される状態を示す模式図である。
【図６】本考案のケーブル挟み器の使用状態を示す模式図である。
【図７】本考案のケーブル挟み器の別の実施例を示す斜視図である。
【図８】図７の使用状態を示す模式図である。
【図９】本考案のケーブル挟み器の別の実施例を示す斜視図である。
【図１０】図９の使用状態を示す模式図である。
【考案を実施するための形態】
【００１２】
以下、本考案の実施の形態を図面に基づいて説明する。
図１Ａ乃至図４を参照する。図１Ａは本考案の一実施例を示す斜視図であり、図１Ｂは図１Ａの一部を示す拡大図であり、図２Ａは本考案の一実施例の後方斜視図であり、図２Ｂは図２Ａの一部を示す拡大図であり、図３は本考案の挟み器を示す分解斜視図であり、図４は本考案のケーブル挟み器を示す斜視図である。本考案の太陽電池パネル用固定装置１は、太陽電池パネル３を受けるためのフレーム２を含む。フレーム２の下方には、更に、支持具２１が複数設けられている。これらの支持具２１により、フレーム２と太陽電池パネル３とを傾斜させた状態で設置可能である。フレーム２のより低い箇所に位置する底フレーム２２には、更に、押付部２２１が設けられている。押付部２２１により、太陽電池パネルを整然と配置可能である。隣接する支持具２１同士の間に補強梁２３が設けられている。補強梁２３により、フレーム２の支持力を強化可能である。太陽電池パネル用固定装置１は、更に、複数の挟み器４と、複数のケーブル挟み器５と、を含む。
【００１３】
挟み器４は、上挟み体４１と、下挟み体４２と、を含む。下挟み体４２は当接部４２１を有する。当接部４２１に第１穿孔４２２が設けられている。当接部４２１の一側には、二つの立設面４２３が立設されている。これらの立設面４２３の間に溝４２４が形成されている。上挟み体４１は押さえ部４１１を有する。押さえ部４１１には、第１穿孔４２２に対応する第２穿孔４１２が設けられている。押さえ部４１１の一側に係合部４１３が下方へ垂直に延び、係合部４１３が溝４２４に挿入する。挟み器４は、ロック具４３を介して第１穿孔４２２と第２穿孔４１２とを挿通する。これにより、フレーム２の適当な箇所に挟み器４を固定可能であり、そして押さえ部４１１により太陽電池パネル３を押さえて固定可能である。このように、太陽電池パネル３の厚さを変更する場合には、ロック具４３を緩めて係合部４１３を介して溝４２４と嵌合するだけで、係合部４１３が溝４２４内で任意に動き、押さえ部４１１を適当な位置に調整可能であり、太陽電池パネルの組付作業が便利となる。
【００１４】
ケーブル挟み器５は一体成形されたものであり、本体５１と、少なくとも一つの挟みアーム５２と、を含む。本体５１は、一端に挟み部５１１が設けられており、他端に挟み部５１１に対応する締め部５１２が設けられている。締め部５１２の挟み部５１１に向いている箇所に円弧形構造５１３が形成されている。挟みアーム５２は、本体５１に設けられており、その内側に、ケーブルを固定するための規制用円弧縁５２１が少なくとも一つ設けられている。ケーブル挟み器５は、挟み部５１１と締め部５１２とを介してフレーム２の適当な箇所に固定されている。
【００１５】
図５及び図６を参照する。図５は本考案のケーブル挟み器がフレームに固定される状態を示す模式図であり、図６は本考案のケーブル挟み器の使用状態を示す模式図である。本考案のケーブル挟み器５の組付は、別の工具や道具を利用せず、挟み部５１１と締め部５１２とを介してフレーム２の適当な箇所に固定可能であるため、脱着の利便性が増加する。挟みアーム５２の規制用円弧縁５２１により、ケーブル６を挟んで固定可能であるため、ケーブル６を整然と配線でき、ケーブル６の脱着も便利となる。
【００１６】
図７及び図８を参照する。図７は本考案のケーブル挟み器の別の実施例を示す斜視図であり、図８は図７の使用状態を示す模式図である。本考案のケーブル挟み器５ａの上記の実施例と相違する点は、係合部５１２ａ及び円弧形構造５１３ａがフレーム２ａの側縁の造形によって、その外観及び円弧度が変更されることにある。このように、ケーブルを安定的に挟むことが可能であり、ケーブルの脱着も便利となる。また、本考案のケーブル挟み器５ｂの上記の実施例と相違する点は、挟みアーム５２ｂが本体５１ｂの固定部５１１ｂの末端に設けられていることにある。このように、異なる規格を有するフレーム２ｂにケーブル挟み器５ｂを適用可能である。
【００１７】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００１８】
本考案は、太陽電池パネルに適用することができる。
【符号の説明】
【００１９】
１  固定装置
２  フレーム
２ａ  フレーム
２ｂ  フレーム
３  太陽電池パネル
４  挟み器
５  ケーブル挟み器
５ａ  ケーブル挟み器
５ｂ  ケーブル挟み器
６  ケーブル
２１  支持具
２２  底フレーム
２３  補強梁
４１  上挟み体
４２  下挟み体
４３  ロック具
５１  本体
５１ｂ  本体
５２  挟みアーム
５２ｂ  挟みアーム
２２１  押付部
４１１  押さえ部
４１２  第２穿孔
４１３  係合部
４２１  当接部
４２２  第１穿孔
４２３  立設面
４２４  溝
５１１  挟み部
５１１ｂ  固定部
５１２  締め部
５１２ａ  係合部
５１３  円弧形構造
５１３ａ  円弧形構造
５２１  規制用円弧縁
【図１Ａ】
0003183893.tif 000003
【図１Ｂ】
0003183893.tif 000004
【図２Ａ】
0003183893.tif 000005
【図２Ｂ】
0003183893.tif 000006
【図３】
0003183893.tif 000007
【図４】
0003183893.tif 000008
【図５】
0003183893.tif 000009
【図６】
0003183893.tif 000010
【図７】
0003183893.tif 000011
【図８】
0003183893.tif 000012
【図９】
0003183893.tif 000013
【図１０】
0003183893.tif 000014